(57)【要約】      （修正有）【課題】可変手段で受けた遊技球が入球口とは異なる側に移動するのを防止可能な遊技機を提供する。【解決手段】パチンコ機は、遊技領域を流下する遊技球が入球可能な第２始動入賞口５２ａと、閉鎖位置および開放位置に変位可能な開閉部材５２ｂとを有する第２始動入賞部５２を備えている。開閉部材５２ｂは、開放位置にある状態で遊技盤の前面より前側に位置して、第２始動入賞口５２ａの開口上縁側に設けられた受け部材５４の下壁５４３との間に取込流路５９を形成する。取込流路５９は、第２始動入賞口５２ａを挟む左右両側で取込口５９ａが遊技領域に開口するよう構成されている。そして、取込流路５９を移動する遊技球と接触可能な接触部５４６が受け部材５４の下壁５４３に設けられて、左右一方の取込口５９ａを介して取込流路５９に流入した遊技球が左右他方の取込口５９ａから排出されるのを防止し得るよう構成した。【選択図】図３
2017000630.tif 000002
【特許請求の範囲】
【請求項１】
遊技領域が形成された遊技盤と、前記遊技領域を流下する遊技球が入球可能な入球口を有する入球部と、前記入球部に設けられて前記入球口に対して変位可能な可変手段とを備え、前記可変手段が第１位置から第２位置に変位した場合に、前記第１位置と較べて前記入球口に遊技球が入球し易くなるよう構成された遊技機において、
前記可変手段は、前記第２位置にある状態で前記遊技盤の前面より前側に位置すると共に、前記遊技領域を流下する遊技球を受けて前記入球口に誘導し得るよう構成され、
前記入球口の開口上縁側に流路形成部が設けられて、当該流路形成部と前記第２位置にある前記可変手段との間に、前記入球口に連通する取込流路が形成されると共に、当該取込流路において前記入球口を挟む左右両側で取込口が前記遊技領域に開口するよう構成され、
前記取込流路を移動する遊技球と接触可能な接触部が前記流路形成部に設けられて、前記取込口を介して前記取込流路に流入した遊技球が他の取込口から排出されるのを防止し得るよう構成した
ことを特徴とする遊技機。
【請求項２】
前記接触部は、前記流路形成部の下端部から下方に突出して前記入球口の前側で前後に延在するよう設けられると共に、前記入球口に近接するにつれて下方への突出寸法が次第に小さくなるよう設けられた請求項１記載の遊技機。
【請求項３】
前記可変手段は、前記入球口の開口下縁に沿う軸を中心に上端側が前後に揺動することで、前記入球口を塞ぐ前記第１位置と、前記入球口を開放して該入球口の下縁部に向けて下方傾斜する誘導面を形成する前記第２位置とに変位し得るよう構成され、
前記接触部は、遊技球の直径以下の間隔を介して前記誘導面の傾斜上端部と対向するよう前記流路形成部の下端部に設けられた請求項１または２記載の遊技機。
【請求項４】
前記入球部は、前記入球口の前方から該入球口の下縁部に向けて下方傾斜する誘導面を備え、
前記可変手段は、前記誘導面の左右両側で前後に延在する軸を中心として上端側が左右に揺動する左右一対の羽根部材からなり、前記一対の羽根部材の各自由端が前記流路形成部に近接する前記第１位置と、前記一対の羽根部材の各自由端が前記流路形成部から離間して、前記誘導面に向けて下方傾斜する前記第２位置とに変位し得るよう構成され、
前記接触部は、遊技球の直径以下の間隔を介して前記誘導面の傾斜上端部と対向するよう前記流路形成部の下端部に設けられた請求項１または２記載の遊技機。
【発明の詳細な説明】
【技術分野】
【０００１】
本発明は、遊技球を用いて遊技を行う遊技機に関するものである。
【背景技術】
【０００２】
遊技機の代表例の一つとしてのパチンコ機には、固定枠に開閉自在に組み付けられた本体枠に、パチンコ球が流下可能な遊技領域が前面側に形成された遊技盤が着脱自在に配設されている。遊技領域には、パチンコ球が入賞可能な入賞口が形成された入賞部が設けられており、該入賞部の入賞口にパチンコ球が入賞するか否かによって遊技の興趣が高められる。またパチンコ機では、入賞部の一種として、入賞口を開閉する開閉部材を設けた可変入賞部が広く採用されており、可変入賞部の開閉部材を開放位置および閉鎖位置に変位させることで入賞口へのパチンコ球の入賞し易さに変化を与え得るようになっている(例えば、特許文献１)。
【先行技術文献】
【特許文献】
【０００３】
【特許文献１】特開２００１−２７６３４４号公報
【発明の概要】
【発明が解決しようとする課題】
【０００４】
可変入賞部は例えば、前方に開口する入賞口を被覆する板状の開閉部材が下縁部を中心として扉状に開放すると共に、開放位置において開閉部材が入賞口の前方に傾倒した状態となることで、当該開閉部材によって遊技領域を流下してきたパチンコ球を受けて入賞口に導くように構成される。このため、遊技者は、パチンコ球が入賞口の前方まで流下して開放された開閉部材の上に載ると、当該パチンコ球が入賞口に導かれることを確信する。
【０００５】
しかしながら、開閉部材が開放位置にある状態では、遊技領域から開閉部材の上へ向けたパチンコ球の移動が許容される一方で、開閉部材の上から遊技領域へ向けてもパチンコ球が移動し得る。すなわち、所定の契機に基づいて開閉部材の開放状態が生起されたとしても、開閉部材の上に載ったパチンコ球が入賞口に導かれることなく遊技領域に落下することがあり、遊技の興趣が削がれる要因の一つとなっている。
【０００６】
そこで本発明は、従来の技術に内在する前記問題に鑑み、これらを好適に解決するべく提案されたものであって、可変手段で受けた遊技球が入球口とは異なる側に移動するのを防止可能な遊技機を提供することを目的とする。
【課題を解決するための手段】
【０００７】
前記課題を克服し、所期の目的を達成するため、本願請求項１に係る遊技機は、
遊技領域(22)が形成された遊技盤(20)と、前記遊技領域(22)を流下する遊技球が入球可能な入球口(52a,153a)を有する入球部(52,152)と、前記入球部(52,152)に設けられて前記入球口(52a,153a)に対して変位可能な可変手段(52b,152b)とを備え、前記可変手段(52b,152b)が第１位置から第２位置に変位した場合に、前記第１位置と較べて前記入球口(52a,153a)に遊技球が入球し易くなるよう構成された遊技機において、
前記可変手段(52b,152b)は、前記第２位置にある状態で前記遊技盤(20)の前面より前側に位置すると共に、前記遊技領域(22)を流下する遊技球を受けて前記入球口(52a,153a)に誘導し得るよう構成され、
前記入球口(52a,153a)の開口上縁側に流路形成部(543)が設けられて、当該流路形成部(543)と前記第２位置にある前記可変手段(52b,152b)との間に、前記入球口(52a,153a)に連通する取込流路(59,159)が形成されると共に、当該取込流路(59,159)において前記入球口(52a,153a)を挟む左右両側で取込口(59a,152a)が前記遊技領域(22)に開口するよう構成され、
前記取込流路(59,159)を移動する遊技球と接触可能な接触部(546)が前記流路形成部(543)に設けられて、前記取込口(59a,152a)を介して前記取込流路(59,159)に流入した遊技球が他の取込口(59a,152a)から排出されるのを防止し得るよう構成したことを要旨とする。
請求項１に係る発明によれば、第２位置にある可変手段と流路形成部との間に取込流路を形成すると共に該取込流路を移動する遊技球と接触する接触部を流路形成部に設けることで、取込口を介して取込通路に流入した遊技球が他の取込口から排出されるのを防止して、該遊技球を入球口に入球させることができる。
【０００８】
請求項２に係る発明は、前記接触部(546)は、前記流路形成部(543)の下端部から下方に突出して前記入球口(52a)の前側で前後に延在するよう設けられると共に、前記入球口(52a)に近接するにつれて下方への突出寸法が次第に小さくなるよう設けられたことを要旨とする。
請求項２に係る発明によれば、入球口に近接するにつれて下方への突出寸法が次第に小さくなるよう接触部を設けることで、入球口から前方に離間する側では、左右に移動する遊技球に接触部を確実に接触させて当該遊技球が取込口から排出されるのを防止し得ると共に、入球口に近接する側では接触部が遊技球と接触しないようにして当該遊技球を速やかに入球口に入球させることができる。
【０００９】
請求項３に係る発明は、前記可変手段(52b)は、前記入球口(52a)の開口下縁に沿う軸(61)を中心に上端側が前後に揺動することで、前記入球口(52a)を塞ぐ前記第１位置と、前記入球口(52a)を開放して該入球口(52a)の下縁部に向けて下方傾斜する誘導面(60)を形成する前記第２位置とに変位し得るよう構成され、
前記接触部(546)は、遊技球の直径以下の間隔を介して前記誘導面(60)の傾斜上端部と対向するよう前記流路形成部(543)の下端部に設けられたことを要旨とする。
請求項３に係る発明によれば、入球口へ向けて下方傾斜する誘導面を形成すると共に、接触部を遊技球の直径以下の間隔を介して誘導面の傾斜上端部と対向するよう流路形成部の下端部に設けることで、取込流路を移動する遊技球に接触部を接触させて誘導面の傾斜方向に向かわせることができ、該遊技球を速やかに入球口に入球させ得る。
【００１０】
請求項４に係る発明は、前記入球部(152)は、前記入球口(153a)の前方から該入球口(153a)の下縁部に向けて下方傾斜する誘導面(160)を備え、
前記可変手段(152b)は、前記誘導面(160)の左右両側で前後に延在する軸(161)を中心として上端側が左右に揺動する左右一対の羽根部材(152b)からなり、前記一対の羽根部材(152b)の各自由端が前記流路形成部(543)に近接する前記第１位置と、前記一対の羽根部材(152b)の各自由端が前記流路形成部(543)から離間して、前記誘導面(160)に向けて下方傾斜する前記第２位置とに変位し得るよう構成され、
前記接触部(546)は、遊技球の直径以下の間隔を介して前記誘導面(160)の傾斜上端部と対向するよう前記流路形成部(543)の下端部に設けられたことを要旨とする。
請求項４に係る発明によれば、入球口へ向けて下方傾斜する誘導面を形成すると共に、接触部を遊技球の直径以下の間隔を介して誘導面の傾斜上端部と対向するよう流路形成部の下端部に設けることで、取込流路を移動する遊技球に接触部を接触させて誘導面の傾斜方向に向かわせることができ、該遊技球を速やかに入球口に入球させ得る。
【発明の効果】
【００１１】
本発明に係る遊技機によれば、可変手段で受けた遊技球が入球口とは異なる側に移動するのを防止することができる。
【図面の簡単な説明】
【００１２】
【図１】本発明の好適な実施例に係るパチンコ機を、外枠に対して前枠を開放した状態で示す斜視図である。
【図２】実施例に係る遊技盤の斜視図である。
【図３】実施例に係る始動入賞ユニットであり、(a)は正面図を示し、(b)は斜視図を示している。
【図４】実施例に係る始動入賞ユニットの受け部材および案内部の関係を示す説明図である。
【図５】図３のＡ−Ａ線断面図であり、要部を拡大して示している。
【図６】別例に係る始動入賞ユニットであり、(a)は正面図を示し、(b)は下側受け部材を取り外した状態を示している。
【発明を実施するための形態】
【００１３】
次に、本発明に係る遊技機につき、好適な実施例を挙げて、添付図面を参照して以下に説明する。なお、実施例では、遊技球としてパチンコ球を用いて遊技を行うパチンコ機１０を例に挙げて説明する。また、以下の説明において、「前」、「後」、「左」、「右」とは、特に断りのない限りパチンコ機１０を前側(遊技者側)から見た状態で指称する。
【実施例】
【００１４】
(パチンコ機１０について)
実施例に係るパチンコ機１０は、図１に示すように、前後に開口する矩形枠状に形成されて遊技店の図示しない設置枠台に縦置き姿勢で設置される固定枠としての外枠１１の開口前面側に、パチンコ球が流下可能な遊技領域２２が前面側に形成された遊技盤(遊技領域形成部材)２０を着脱可能に保持する本体枠としての中枠１２が開閉および着脱可能に組み付けられて、該遊技盤２０に、所定の特図当り判定条件(当り判定条件)の成立を契機として(後述する始動入賞口５１ａ,５２ａへのパチンコ球の入球(入賞)を契機として)、演出用の図柄(以下演出図柄という)を変動表示させて図柄組合せ演出を行う演出表示手段としての図柄表示装置１７が着脱可能に配設されている(図２参照)。また、前記中枠１２の前面側には、前記遊技盤２０の遊技領域２２と対応する位置に前後に開口する窓口１３ａが形成された装飾枠としての前枠１３が開閉可能に組み付けられている。そして、前枠１３には、ガラス板や透明な合成樹脂材で形成された透視保護部材１３ｂ(一部を図５に示している)が窓口１３ａを覆うよう配設されており、遊技盤２０を前側から透視可能な状態で保護している。透視保護部材１３ｂは、中枠１２に対して前枠１３を閉鎖した状態で、遊技盤２０の前方に離間する(具体的には、遊技盤２０の前面との間に１個のパチンコ球が通過可能な間隔をあけて離間する)よう配置されることで、当該透視保護部材１３ｂの後面と遊技盤２０の前面との前後間に前記遊技領域２２が形成されるようになっている。なお、図１では、透視保護部材１３ｂを省略してある。また、前記前枠１３における窓口１３ａの下方位置には、パチンコ球を貯留可能な球受け皿１４が設けられており、当該前枠１３と一体的に球受け皿１４を開閉し得るようになっている。実施例の前枠１３には、上下の位置関係で２つの球受け皿１４が組み付けられており、図１に上側の球受け皿１４のみを図示してある。なお、前記上下の球受け皿１４の一方および両方を、前枠１３とは個別に中枠１２に組み付けるようにしてもよい。また、中枠１２や前枠１３に、１つの球受け皿１４のみを備える構成とすることもできる。
【００１５】
実施例のパチンコ機１０の前面右下部(実施例では前枠１３の前面右下部)には、図１に示すように、前記中枠１２に配設された球発射装置１８を作動させる操作ハンドル１６が設けられる。この操作ハンドル１６は、左回転方向に付勢された操作レバー１６ａを備えており、該操作レバー１６ａを右回転するよう遊技者が回動操作することで球発射装置１８が作動されて、前記上側の球受け皿１４に貯留されたパチンコ球が前記遊技盤２０に向けて発射されるようになっている。ここで、操作レバー１６ａの回動量に応じて球発射装置１８によるパチンコ球の打球力が強弱変化するよう構成されており、遊技者が操作レバー１６ａの回動量を調節することで、前記遊技領域２２へのパチンコ球の打ち出し位置を任意に変更し得るようになっている。すなわち、遊技者が操作レバー１６ａを操作して回動量を調節することで、前記遊技盤２０に形成された第１の流下領域２２ａ(後述)にパチンコ球を流下させる所謂「左打ち遊技」と称される遊技形態、該遊技盤２０に形成された第２の流下領域２２ｂ(後述)にパチンコ球を流下させる所謂「右打ち遊技」と称される遊技形態とに切り替えて遊技を行い得るようになっている。
【００１６】
(遊技盤２０について)
前記遊技盤２０は、合成樹脂材やベニヤ材等から所定板厚の略矩形状に形成されており、図２に示すように、略円形状の案内レール２３が前面(盤面)に配設されて前記遊技領域２２が前面側に画成されている。なお、遊技盤２０には、案内レール２３として、遊技盤２０の右下部から左上部にかけて円弧状に延在して遊技領域２２の左下側を画成する第１レール部２３ａと、遊技盤２０の左下部から右上部にかけて円弧状に延在して遊技領域２２の上部を画成する第２レール部２３ｂと、第１レール部２３ａの右下端部および第２レール部２３ｂの右上端部の間に位置して遊技領域２２の右部を画成する第３レール部２３ｃとが設けられており、遊技盤２０の前面における遊技領域２２の左側には、第２レール部２３ｂが第１レール部２３ａの外側に離間して位置することで、当該第１レール部２３ａおよび第２レール部２３ｂの間に、パチンコ球が通過可能な発射通路２５が画成されている。そして、前記球発射装置１８から発射されたパチンコ球が発射通路２５の下方開口から飛翔して、発射通路２５の上端に位置する発射口２５ａから遊技領域２２内に打ち出されるようになっている。また、遊技盤２０の後面には、各種部材が収容される収容空間８２を当該遊技盤２０との間に画成する設置部材(収容空間画成部材)８０が配設されている。なお、実施例の遊技盤２０は、ベニヤ材から形成された不透明な板状部材であって、前記収容空間８２を遊技盤２０の前面側から透視し得ないようになっている。
【００１７】
前記遊技盤２０の前面には、前記遊技領域２２内の適宜位置に各種の遊技盤設置部品が配設されている。実施例では、遊技盤設置部品として、前記図柄表示装置１７の外側を囲む枠状装飾部材２８や、始動入賞口(入球口)５１ａ,５２ａが設けられた始動入賞ユニット(入賞装置、入球手段)５０や、特別入賞口(入球口)７１ａおよび普通入賞口(入球口)７２ａ,７２ｂが設けられた複合入賞ユニット(入賞装置、入球手段)７０や、ゲート口(入球口)２７ａが設けられたゲート部材２７等が遊技盤２０に配設されている。また、遊技盤２０には、パチンコ球を遊技領域２２の外部に排出するアウト口２４が遊技領域２２の最下部に開設されている。なお、実施例では、遊技領域２２の最下部に設けられたアウト口２４とは別に、パチンコ球を遊技領域２２の外部に排出する第２アウト口７４ａが複合入賞ユニット７０に設けられている(図２参照)。この第２アウト口７４ａに入球して遊技領域２２の外部に導かれたパチンコ球は、遊技盤２０の後面側に配設された排出路形成部材(図示せず)を通じて遊技盤２０の下方(設置部材８０の下方)に排出される。なお、実施例において、「入賞ユニット」とは、複数の部材から構成されると共にパチンコ球が入球可能な入球口が形成されて、１つのユニットとして遊技盤２０に配設されるものを単に指すものであって、複数の入球口が設けられる必要はなく、１つの入球口を有するものでもよい。ここで、「入球」とは、遊技領域２２に開口する入球口(入口)にパチンコ球が入ることであって、実施例においては、入球口としての入賞口５１ａ,５２ａ,７１ａ,７２ａ,７２ｂや、ゲート口２７ａや、アウト口２４,７４にパチンコ球が入ることを「入球」と指称することがある。また、「入賞」とは、入球口のうちパチンコ球の入球によって賞球が払い出されることとなる特定の入球口(入賞口)にパチンコ球が入ることであって、実施例においては、入球口としての入賞口５１ａ,５２ａ,７１ａ,７２ａ,７２ｂにパチンコ球が入ることを「入賞」と指称することがある。
【００１８】
(枠状装飾部材２８について)
次に、前記枠状装飾部材２８について詳細に説明する。前記枠状装飾部材２８は、図２に示すように、前記遊技盤２０の前面より前方に突出して前記遊技領域２２側と前記図柄表示装置１７側とを区切る庇状部２８ａを備える。そして、枠状装飾部材２８が遊技盤２０に取り付けられた状態で、該枠状装飾部材２８の外側、具体的には庇状部２８ａと案内レール２３との間にパチンコ球が流下する流下領域２２ａ,２２ｂが画成されるようになっている。すなわち、遊技領域２２は、枠状装飾部材２８の左側に形成された第１の流下領域２２ａと、当該枠状装飾部材２８の右側に形成された第２の流下領域２２ｂとに区画されており、操作ハンドル１６の操作レバー１６ａを回動操作して打球力を調節することにより、パチンコ球を第１の流下領域２２ａに流下させる遊技形態(左打ち)およびパチンコ球を第２の流下領域２２ｂに流下させる遊技形態(右打ち)の何れかを遊技者が任意に選択し得るように構成されている。第１および第２の流下領域２２ａ,２２ｂには、ゲート部材２７が夫々配設されており、各流下領域２２ａ,２２ｂを流下するパチンコ球がゲート部材２７のゲート口２７ａを通過し得るようになっている。そして、遊技領域２２は、前記枠状装飾部材２８の下方位置において第１および第２の流下領域２２ａ,２２ｂが合流するようになっており、当該第１および第２の流下領域２２ａ,２２ｂが合流する合流領域に前記始動入賞ユニット５０および前記アウト口２４が設けられている。すなわち、遊技領域２２は、枠状装飾部材２８の左側および右側を流下したパチンコ球が、合流領域の下端に位置するアウト口２４まで流下し得ると共に、合流領域におけるアウト口２４より上方で第１始動入賞口５１ａや第２始動入賞口５２ａに入球(入賞)し得るよう構成されている。また、遊技領域２２の左下部には複合入賞ユニット７０が配設されており、該複合入賞ユニット７０に設けられた特別入賞口７１ａや普通入賞口７１ａ,７１ｂに、第１の流下領域２２ａを流下したパチンコ球が入球し得るようになっている。
【００１９】
(ゲート部材２７について)
前記ゲート部材(入球部)２７は、図２に示すように、上下に貫通するようゲート口２７ａが形成されており、遊技領域２２(流下領域２２ａ,２２ｂ)を流下するパチンコ球がゲート部材２７の上方からゲート口２７ａに入球して該ゲート口２７ａを下方へ通過し得るようになっている。また、ゲート部材２７には、ゲート口２７ａを通過するパチンコ球を検出するゲートセンサ(図示せず)が設けられている。このゲートセンサは、図示しない制御基板に配線接続されており、該ゲートセンサから制御基板(具体的には、制御基板に設けられたＣＰＵ)への球検出信号の入力(すなわちパチンコ球の検出)に伴って普図当り判定条件が成立するようになっている。そして、前記制御基板(具体的には、ＣＰＵ)において、普図当り判定条件の成立に伴って、後述する特図当り判定条件が成立し易くなる状態(普図当り遊技)を生起させるか否かに関する普図当り判定が行われ、該普図当り判定の結果に応じて前記始動入賞ユニット５０に設けられた駆動手段としての始動入賞ソレノイドＳＬ(図３(ｂ)参照)が駆動制御されて、始動入賞ユニット５０に設けられた開閉部材５２ｂが開閉動作するようになっている。すなわち、実施例のパチンコ機１０は、ゲートセンサによるパチンコ球の検出を契機として行われる普図当り判定の判定結果が当りの判定である場合に、前記始動入賞ユニット５０の第２始動入賞口５２ａを所定の開放条件で開放する普図当り遊技が行われて、当該第２始動入賞口５２ａへパチンコ球を入球させ得る機会が与えられるようになっている。
【００２０】
(始動入賞ユニット５０について)
前記始動入賞ユニット５０は、図２に示すように、前記枠状装飾部材２８の下方位置(アウト口２４の直上位置)に、前記第１始動入賞口５１ａが上方に常に開口するよう設けられており、前記第１の流下領域２２ａを流下するパチンコ球および前記第２の流下領域２２ｂを流下するパチンコ球が第１始動入賞口５１ａに入球し得るようになっている。すなわち、始動入賞ユニット５０には、パチンコ球が常に入球可能な第１始動入賞口５１ａを有する第１始動入賞部(入球部)５１が設けられている。また、始動入賞ユニット５０における第１始動入賞口５１ａの下側には、前記第２始動入賞口５２ａが前方へ向けて開口するよう設けられると共に、該第２始動入賞口５２ａを開閉する開閉部材(可変手段)５２ｂが配設されている。そして、開閉部材５２ｂが、前記始動入賞ソレノイドＳＬの駆動に伴って、第２始動入賞口５２ａを閉鎖する閉鎖位置と開放する開放位置とに変位するようになっており、開閉部材５２ｂが開放された状態でのみ第２始動入賞口５２ａにパチンコ球が入球し得るよう構成されている。すなわち、始動入賞ユニット５０には、パチンコ球の入球し易さ(入球の可否)が変化する第２始動入賞口５２ａを有する第２始動入賞部(入球部)５２が設けられている。始動入賞ユニット５０は、開閉部材５２ｂが開放位置にある状態において、前記第１の流下領域２２ａを流下するパチンコ球および前記第２の流下領域２２ｂを流下するパチンコ球が第２始動入賞口５２ａに入球し得るように構成されている。
【００２１】
また、前記始動入賞ユニット５０には、図５に示すように、第１始動入賞口５１ａに入球したパチンコ球を検出する検出手段としての第１始動入賞検出センサＳＥ１と、第２始動入賞口５２ａに入球したパチンコ球を検出する検出手段としての第２始動入賞検出センサＳＥ２とが配設されている。第１始動入賞検出センサＳＥ１および第２始動入賞検出センサＳＥ２は、前記設置部材８０の裏面に配設された前記制御基板に配線接続されており、該第１および第２始動入賞検出センサＳＥ１,ＳＥ２から制御基板(具体的には、制御基板に設けられたＣＰＵ)への球検出信号の入力(すなわちパチンコ球の検出)に伴って特図当り判定条件が成立するようになっている。そして、制御基板(具体的には、ＣＰＵ)において、特図当り判定条件の成立に伴って、遊技者に有利な特別遊技(大当り遊技や小当り遊技)を生起させるか否かに関する特図当り判定が行われ、該特図当り判定の結果に応じて前記複合入賞ユニット７０に配設された特別入賞ソレノイドが駆動制御されて、複合入賞ユニット７０に配設されたシャッタ７１ｂが開閉動作するようになっている。また、制御基板(具体的には、ＣＰＵ)は、第１および第２始動入賞検出センサＳＥ１,ＳＥ２から制御基板への球検出信号の入力に伴って、規定数の賞球の払い出しを決定するようになっている。
【００２２】
前記始動入賞ユニット５０は、図３、図４および図５に示すように、前記遊技盤２０の前面に取着される始動台板５３と、始動台板５３の前面に配設されて第１始動入賞口５１ａを形成する受け部材５４と、始動台板５３の後面に配設されて内部に始動入賞ソレノイドＳＬや第１および第２始動入賞検出センサＳＥ１,ＳＥ２が収容された始動本体部５５とを備えている。始動本体部５５は、第１および第２始動入賞口５１ａ,５２ａに入球したパチンコ球を前記設置部材８０側に案内する第１および第２始動入賞路５６,５７を内部に形成するよう構成されている。始動台板５３は、後述する案内部５８の形成部位を除いて略全体が平板状に形成されると共に、固定ネジを前後に挿通可能な固定孔Ｎａが外周縁部の複数箇所に開設されている。そして、始動台板５３の固定孔Ｎａに前側から挿通させた固定ネジを遊技盤２０の前面に螺挿して固定することで、始動入賞ユニット５０が前記枠状装飾部材２８およびアウト口２４の間に取り付けられ、遊技領域２２を流下するパチンコ球が始動入賞ユニット５０の始動台板５３の前側を流下して、第１始動入賞部５１に設けた第１始動入賞口５１ａや、第２始動入賞部５２に設けた第２始動入賞口５２ａに入球し得るよう構成される。なお、第２始動入賞口５２ａは、受け部材５４の配設位置の下側で始動台板５３を前後に貫通するよう形成されている。
【００２３】
(始動入賞ユニット５０の第１始動入賞部５１について)
図３および図４に示すように、前記第１始動入賞部５１は、上方および後方に開口する箱状に設けられた前記受け部材５４(詳しくは後述する)を前記始動台板５３の前面上部に前側から組み付けることで構成されている。図４および図５に示すように、始動台板５３の前面上部には、当該始動台板５３を前後に貫通する連通口５３ａが形成されており、当該連通口５３ａを前側から覆うように受け部材５４が始動台板５３の前面に配設されることで、パチンコ球を遊技領域２２の外部へ向けて案内する受け樋５４ａが始動台板５３および受け部材５４の間に画成されて、該受け樋５４ａの後方開口が連通口５３ａに連通すると共に、受け樋５４ａが上方へ向けて開口して始動台板５３の前側に第１始動入賞口５１ａが画成される。これにより、第１始動入賞口５１ａと連通口５３ａとが連通するよう構成されている。連通口５３ａは、始動本体部５５に形成された第１始動入賞路５６と連通しており、始動本体部５５には、第１始動入賞路５６を通過するパチンコ球を検出する第１始動入賞検出センサＳＥ１が第１始動入賞路５６に対応して配設されている。すなわち、第１始動入賞部５１に設けられた第１始動入賞口５１ａ、受け樋５４ａおよび連通口５３ａを通過したパチンコ球が、第１始動入賞路５６を通過する過程で第１始動入賞検出センサＳＥ１により検出されるようになっている。
【００２４】
前記受け部材５４は、図４に示すように、前記始動台板５３の前側で上下に延在すると共に前方に延出する左右一対の側壁５４１と、これら一対の側壁５４１の前縁間を繋ぐように始動台板５３より前方で遊技盤２０の前面と平行に延在する前壁５４２と、一対の側壁５４１の下端を繋ぐように始動台板５３の前側で左右に略Ｕ字状に延在すると共に前方に延出する下壁(流路形成部)５４３とにより構成され、前記受け樋５４ａが、一対の側壁５４１、前壁５４２および下壁５４３の内側に形成されている。一対の側壁５４１は、対向する内面により受け樋５４ａの左右を画成すると共に、受け部材５４の左右の外面を形成している。左側の側壁５４１は、左下方に傾斜する傾斜壁を構成しており、第１の流下領域２２ａを流下して受け部材５４の左側の外側面(すなわち、左側の側壁５４１の外面)に接触したパチンコ球を左下側(始動入賞口５１ａ,５２ａから離間する側)へ向けて案内するよう構成される。また、右側の側壁５４１は、右下方に傾斜する傾斜壁を構成しており、第２の流下領域２２ｂを流下して受け部材５４の右側の外側面(すなわち、右側の側壁５４１の外面)に接触したパチンコ球を右下側(始動入賞口５１ａ,５２ａから離間する側)へ向けて案内するよう構成される。これにより、一対の側壁５４１は、下方に向かうにつれて互いに離間する「ハ」字状に延在するよう設けられており、遊技領域２２(流下領域２２ａ,２２ｂの何れか)を流下して受け部材５４の左右の外面(すなわち、側壁５４１の外面)に接触したパチンコ球を、始動入賞口５１ａ,５２ａが位置する遊技領域２２の左右方向中央から外側下方へ向けて案内するようになっている。
【００２５】
また、前記一対の側壁５４１の各内面には、他方の側壁５４１へ向けて左右方向に突出すると共に前後に延在する板状の突部５４１ａが、上下に離間するよう複数形成されている(図３(ｂ)および図４参照)。複数の突部５４１ａは、突出端部の位置が側壁５４１毎に上下に揃うように形成されて、左側の側壁５４１における複数の突部５４１ａの突出端部と、右側の側壁５４１における複数の突部５４１ａの突出端部との間に、受け樋５４ａが１個のパチンコ球が通過可能な通路幅で上下方向に直線状に延在するよう形成されている。ここで、一対の側壁５４１が「ハ」字状に設けられていることから、側壁５４１の内面に形成される突部５４１ａは、側壁５４１の下端に近いほど突出寸法が大きく形成されている。すなわち、一対の側壁５４１は、当該側壁５４１の下端に近いほど突出寸法が大きい複数の突部５４１ａの各突出端部を上下に揃えて受け樋５４ａを形成することにより、各側壁５４１の厚みが増して成形上の不具合が生ずるのを防いでいる。
【００２６】
図４に示すように、前記受け部材５４の前記下壁５４３は、一方の側壁５４１の下端部に連続して他方の側壁５４１側に向けて左右方向に下方傾斜する一対の下側壁部５４４と、下壁５４３の下端を構成して、各下側壁部５４４の傾斜下端部を繋ぐように左右に水平に延在する下中壁部５４５とにより構成されている。一対の下側壁部５４４は、夫々が湾曲状に形成されており、凹面が前記受け部材５４の左下および右下に向いて、受け部材５４の左右方向中央側に近接するにつれて(後述する接触部５４６に近接するにつれて)次第に下方に偏倚して延在方向が鉛直方向に近づくように設けられている。すなわち、下側壁部５４４は、左右から接触してきたパチンコ球を下向きに案内するよう構成されている。なお、詳しくは後述するが、一対の下側壁部５４４は、第１および第２の流下領域２２ａ,２２ｂと第２始動入賞口５２ａの前側(後述する取込流路５９)とを連通する取込口５９ａ(後述)を、第２始動入賞口５２ａの左右に設けた一対の案内部５８(後述)との間に夫々形成している。
【００２７】
前記下壁５４３の中央部に位置する前記下中壁部５４５は、前記第２始動入賞口５２ａの開口上縁側に位置するよう設けられている。この下中壁部５４５の下面(すなわち外面)には、第２始動入賞口５２ａの前側(後述する取込流路５９)を移動するパチンコ球と接触可能な接触部５４６が、下方に突出するよう設けられている。この接触部５４６については後述する。
【００２８】
(始動入賞ユニット５０の第２始動入賞部５２について)
前記第２始動入賞部５２は、パチンコ球が通過可能な略矩形状の第２始動入賞口５２ａを前記始動台板５３の前面下部(受け部材５４および連通口５３ａの下方)に形成すると共に、該第２始動入賞口５２ａを開閉する開閉部材５２ｂの軸部６１(図５参照)を始動台板５３で枢支することで構成されている。この開閉部材５２ｂは、第２始動入賞口５２ａの開口内縁に略整合する矩形板状に設けられ、下端部から軸部６１が左右に突出するよう構成されている。そして、開閉部材５２ｂの左右の軸部６１を、始動台板５３における第２始動入賞口５２ａの下端部を挟む左右両側に形成された後方に開口する凹状の軸収容部５３ｂに後側から収容して、当該軸部６１を当該軸収容部５３ｂと前記始動本体部５５とで挟み込んで支持することで、開閉部材５２ｂが軸部６１を中心として(第２始動入賞口５２ａの開口下縁部に沿う軸を中心として)前後に揺動可能に枢支される。そして、開閉部材５２ｂは、第２始動入賞口５２ａをパチンコ球が入球不能に塞ぐ閉鎖位置と、遊技領域２２(合流領域)に突出して第２始動入賞口５２ａをパチンコ球が入球可能に開放する開放位置とに変位し得るようになっている。すなわち、開閉部材５２ｂが第２始動入賞口５２ａを塞ぐ閉鎖位置にある場合には、開閉部材５２ｂの上端(自由端)が第２始動入賞口５２ａの開口上縁部に前側から当接して開閉部材５２ｂの前側(第２始動入賞口５２ａの前側)をパチンコ球が上下に通過し得るようになり、開閉部材５２ｂが第２始動入賞口５２ａを開放する開放位置にある場合には、開閉部材５２ｂが前方に突出して第２始動入賞口５２ａの前側に流入したパチンコ球の下方への移動が開閉部材５２ｂにより阻止される。
【００２９】
前記開閉部材５２ｂは、前記始動入賞ソレノイドＳＬの消磁状態において、該始動入賞ソレノイドＳＬに連動して後側に付勢されて第２始動入賞口５２ａを塞ぐ閉鎖位置に静止する(図２参照)と共に、始動入賞ソレノイドＳＬが励磁されると自重により前側に回動して第２始動入賞口５２ａを開放する開放位置に変位して(図３、図４および図５参照)、第２始動入賞口５２ａの前方から当該第２始動入賞口５２ａの開口下縁部に向けて下方傾斜する誘導面６０を形成する。そして、前記開放位置において、第２始動入賞口５２ａの前側で開閉部材５２ｂに受け止められたパチンコ球が当該開閉部材５２ｂの誘導面６０により誘導されて第２始動入賞口５２ａに入球するようになっている。また、第２始動入賞口５２ａは、始動本体部５５に形成された第２始動入賞路５７と連通しており、始動本体部５５には、第２始動入賞路５７を通過するパチンコ球を検出する第２始動入賞検出センサＳＥ２が第２始動入賞路５７に対応して配設されている。すなわち、第２始動入賞部５２に設けられた第２始動入賞口５２ａを通過したパチンコ球が、第２始動入賞路５７を通過する過程で第２始動入賞検出センサＳＥ２により検出されるようになっている。
【００３０】
ここで、前記始動台板５３には、図３(ｂ)および図５に示すように、第２始動入賞口５２ａの開口上縁側に前記受け部材５４が前方に突出するよう設けられており、開閉部材５２ｂは、受け部材５４の前記下壁５４３の下方に、パチンコ球が通過可能な間隔をあけて前記誘導面６０を形成するようになっている。すなわち、第２始動入賞部５２は、第２始動入賞口５２ａを開放する開放位置において該第２始動入賞口５２ａの前側に突出する開閉部材５２ｂの誘導面６０と、第２始動入賞口５２ａの開口上縁側に設けられた受け部材５４の下壁５４３との間に、第２始動入賞口５２ａと前後に連通する流路を形成するようになっている。そこで、以下の説明では、下壁５４３と誘導面６０との間に画成される流路を「取込流路５９」と指称することがある。また、取込流路５９は、図４に示すように、第２始動入賞口５２ａと前後に連通するよう当該第２始動入賞口５２ａの前側に形成される。
【００３１】
前記第２始動入賞部５２には、図３、図４および図５に示すように、前記始動台板５３における第２始動入賞口５２ａを挟む左右両側に、前記受け部材５４の下壁５４３(具体的には、下側壁部５４４)に対してパチンコ球の直径(約１１ｍｍ)より大きく離間する一対の案内部５８が、前方に突出するよう設けられている。そして、第１の流下領域２２ａを流下するパチンコ球が、下壁５４３(左側の下側壁部５４４)と左側の案内部５８との間を通って第２始動入賞口５２ａの前側領域(取込流路５９)に流入すると共に、第２の流下領域２２ｂを流下するパチンコ球が、下壁５４３(右側の下側壁部５４４)と右側の案内部５８との間を通って第２始動入賞口５２ａの前側領域(取込流路５９)に流入するよう構成されている。すなわち、取込流路５９は、取込口５９ａが左方および右方に向けて開口するように形成されており、左側の下側壁部５４４と左側の案内部５８とが、第１の流下領域２２ａ(遊技領域２２)に開口する取込流路５９の取込口５９ａを画成すると共に、右側の下側壁部５４４と右側の案内部５８とが、第２の流下領域２２ｂ(遊技領域２２)に開口する取込流路５９の取込口５９ａを画成するようになっている。
【００３２】
ここで、取込口５９ａを画成する前記下側壁部５４４は、受け部材５４の左右方向中央側に近接するにつれて次第に下方に偏倚して延在方向が鉛直方向に近づく湾曲状に設けられ、パチンコ球を下向きに案内するよう構成されている。そして、取込口５９ａは、図４に示すように、流下領域２２ａ,２２ｂ側の開口幅Ｌ１よりも、取込流路５９の中央側の開口幅Ｌ２が小さくなるよう形成されることで、流下領域２２ａ,２２ｂから取込流路５９に流入するパチンコ球を整流して、誘導面６０上に導くパチンコ球の勢いを低減させ得るように構成されている。
【００３３】
取込口５９ａを画成する前記一対の案内部５８は、各上面が互いに近接する側へ向けて左右方向に下方傾斜する横向き台形状に形成され、上面全体が開閉部材５２ｂの誘導面６０の傾斜上端部より高い位置に設けられている。具体的に、左側の案内部５８の上面は、右方へ向けて下方傾斜する案内面５８ａを構成して、パチンコ球を第１の流下領域２２ａ側から取込流路５９へ向けて案内し得ると共に、右側の案内部５８の上面は、左方へ向けて下方傾斜する案内面５８ａを構成して、パチンコ球を第２の流下領域２２ｂ側から取込流路５９へ向けて案内し得るようになっている。すなわち、遊技領域２２から左右何れかの案内面５８ａ上に載ったパチンコ球は、案内面５８ａの傾斜に沿って傾斜下端部まで案内されると、当該案内面５８ａの傾斜下端部より低い位置に形成された誘導面６０に受け渡されて、該誘導面６０の傾斜方向に従って第２始動入賞口５２ａ側に誘導される。
【００３４】
このように、実施例では、始動台板５３の前側における第２始動入賞口５２ａの左右両側に、パチンコ球を案内する案内面５８ａを固定的に設けて、該案内面５８ａと受け部材５４の下側壁部５４４(下壁５４３)とで取込口５９ａを画成している。そして、開閉部材５２ｂが閉鎖位置から開放位置に変位した場合に、当該開閉部材５２ｂ(誘導面６０)が第２始動入賞口５２ａの前側に取込流路５９を画成するように構成されて、遊技領域２２(流下領域２２ａ,２２ｂ)を流下するパチンコ球が取込口５９ａを通過して取込流路５９に案内されると、該パチンコ球が誘導面６０により取込流路５９から第２始動入賞口５２ａに取り込まれるようになっている。なお、開閉部材５２ｂが閉鎖位置にある状態では、左右一方の案内面５８ａや左右一方の下側壁部５４４に案内されて取込口５９ａを通過したパチンコ球が、一対の案内部５８の間(合流領域)をアウト口２４へ向けて下方に通過するようになっている。
【００３５】
ここで、実施例の第２始動入賞部５２は、図５に示すように、開閉部材５２ｂが開放位置にある状態において、前記案内部５８の案内面５８ａの傾斜下端部よりも低い位置に形成される前記開閉部材５２ｂの誘導面６０が、第２始動入賞口５２ａへ向けて下方傾斜するのに対し、誘導面６０の傾斜上端部よりも高い位置に設けられる案内面５８ａは、緩やかに左右に傾斜する一方で前後の傾きが(殆ど)ない前後方向に水平な平面として形成されている。これにより、第２始動入賞部５２は、始動台板５３に近接する後端側では、各案内面５８ａの傾斜下端部と誘導面６０の傾斜上端部との間に一定の高低差Ｌ３,Ｌ４が生ずる一方で、始動台板５３から離間する前端側では、各案内面５８ａの傾斜下端部と誘導面６０の傾斜上端部との間における高低差Ｌ５が、始動台板５３に近接する後端側よりも小さくなるように構成されている。具体的には、各案内面５８ａの傾斜下端部と誘導面６０の傾斜上端部との間における高低差Ｌ５が、パチンコ球の半径(約５．５ｍｍ)より小さくなる(より詳しくは、パチンコ球の半径の２分の１以下となる)よう設けられている。このように、第２始動入賞部５２は、案内面５８ａおよび誘導面６０を上下に近接させて取込流路５９の上下寸法を最小限とすることで、案内面５８ａから誘導面６０にパチンコ球を受け渡し得る構成としつつ、第２始動入賞部５２全体を上下にコンパクトに構成している。しかしながら、単に案内面５８ａの傾斜下端部と誘導面６０の傾斜上端部との高低差Ｌ５を小さく構成するだけでは、以下の問題が生じ得る。すなわち、左右一方の取込口５９ａから取込流路５９に流入するパチンコ球の勢いが比較的強い場合に、該パチンコ球が誘導面６０の傾斜上端部を左右方向に転動して通過すると共に他方の案内面５８ａに乗り上げ、この他方の案内面５８ａを傾斜方向に逆らって移動して遊技領域２２に落下し得る。またこの場合において、誘導面６０の傾斜上端部と、前記前枠１３の前記透視保護部材１３ｂ(図５参照)の後面とで、パチンコ球が２点支持された状態(図５に拡大して示した状態)となると、該パチンコ球が誘導面６０と透視保護部材１３ｂとの間で安定して容易に誘導面６０の傾斜上端部を左右方向に横切り、他方の案内面５８ａに乗り上げることになる。そこで、実施例の第２始動入賞部５２は、以下に説明するように、接触部５４６を設け、取込流路５９を移動するパチンコ球が接触部５４６に接触するよう構成することで、左右一方の取込口５９ａを介して取込流路５９に流入したパチンコ球が他方の取込口５９ａから遊技領域２２側に排出されるのを防止している。
【００３６】
(第２始動入賞部５２の接触部５４６について)
次に、接触部５４６について説明する。図３および図４に示すように、前記受け部材５４の前記下壁(流路形成部)５４３の下端(下中壁部５４５)には、下方へ向けて突出するよう接触部５４６が設けられている。接触部５４６は、下壁５４３における左右方向の中央部(具体的には、下中壁部５４５の左右方向中央部)において前後に延在するよう設けられている。この接触部５４６は、第２始動入賞口５２ａの前側に位置しており、左右一方の取込口５９ａから取込流路５９に流入したパチンコ球に接触することで、取込流路５９を他方の取込口５９ａへ向かって左右方向に移動するパチンコ球の勢いを誘導面６０上で低減させて該パチンコ球を誘導面６０の傾斜方向に向かわせ、これにより他方の取込口５９ａから遊技領域２２側に排出されるのを防止し得るように構成されている。
【００３７】
ここで、前記接触部５４６は、前記第２始動入賞口５２ａとの関係において、当該第２始動入賞口５２ａの開口左縁部との間にパチンコ球が通過し得る間隔をあけて設けられると共に、当該第２始動入賞口５２ａの開口右縁部との間にパチンコ球が通過し得る間隔をあけて設けられている。具体的に、実施例では、図４に示すように、接触部５４６の左右方向の厚み寸法Ｗ１は、正面視で当該接触部５４６の左側および右側に区画される第２始動入賞口５２ａにおける開口左部の左右寸法Ｗ２および開口右部の左右寸法Ｗ３が、何れもパチンコ球の直径以上となるように設定されている。すなわち、左側の取込口５９ａから取込流路５９に流入して接触部５４６に接触したパチンコ球が誘導面６０の傾斜に沿って第２始動入賞口５２ａの開口左部に入球し得ると共に、右側の取込口５９ａから取込流路５９に流入して接触部５４６に接触したパチンコ球が誘導面６０の傾斜に沿って第２始動入賞口５２ａの開口右部に入球し得るようになっている。なお、正面視で当該接触部５４６の左側および右側に区画される第２始動入賞口５２ａにおける開口左部の左右寸法Ｗ２や開口右部の左右寸法Ｗ３がパチンコ球の直径以下であっても、第２始動入賞口５２ａに対して接触部５４６を前方に離間させることで、第２始動入賞口５２ａの開口側縁部と接触部５４６との間からパチンコ球を左斜めまたは右斜めに第２始動入賞口５２ａに入球させ得る構成とすることができる。また、実施例では、第２始動入賞口５２ａにおける開口左部の左右寸法Ｗ２と開口右部の左右寸法Ｗ３とが同じに設定されているが、異なる寸法としてもよい。
【００３８】
前記接触部５４６は、図５に示すように、開放位置にある開閉部材５２ｂ(誘導面６０)より前側に位置する前部５４６ａと、開放位置にある開閉部材５２ｂ(誘導面６０)の上方に位置する後部５４６ｂとにより構成されている。ここで、受け部材５４の下中壁部５４５から下方へ向けた前部５４６ａの突出最大寸法Ｌ８は、後部５４６ｂの突出寸法Ｌ６,Ｌ７よりも大きく設定されている。そして、前部５４６ａの突出端が位置する高さ位置と、誘導面６０の傾斜上端部が位置する高さ位置との差は、パチンコ球の直径以下(より詳しくは、図５に示す寸法Ｌ９以下)に設定されている。すなわち、左右一方の取込口５９ａから取込流路５９に流入したパチンコ球が誘導面６０の傾斜上端部と前記透視保護部材１３ｂの後面とに当接した状態で左右方向に移動する場合に、その移動先側に接触部５４６の前部５４６ａが位置することで、当該前部５４６ａにパチンコ球を確実に接触させて他方の案内面５８ａに乗り上げるのを防ぎ得るように構成されている。また、前部５４６ａは、前端から後端にかけて急激に突出寸法が減少するよう設けられている(なお、後述する後部５４６ｂは、前部５４６ａに連なる前端から第２始動入賞口５２ａの開口上縁部に連なる後端にかけて、前部５４６ａよりも緩やかに突出寸法が減少するよう設けられている)。これにより、前部５４６ａは、誘導面６０の傾斜上端部と透視保護部材１３ｂの後面とに当接した状態で左右方向に移動してくるパチンコ球の前端部分に接触することで、円弧状の突出端面によりパチンコ球を後方(第２始動入賞口５２ａ側)に跳ね返して、パチンコ球の進行方向を速やかに誘導面６０の傾斜方向に変更し得るように構成されている。
【００３９】
図５に示すように、前記接触部５４６の後部５４６ｂは、前記第２始動入賞口５２ａに対して離間する前端側から該第２始動入賞口５２ａと近接する後端側に向かうにつれて下方への突出寸法が次第に小さくなるよう設けられている。具体的には、後部５４６ｂは、誘導面６０の傾斜上端部と、その真上に位置する後部５４６ｂの前端部との間の上下寸法Ｌ９が、パチンコ球の直径以下とされる一方、後部５４６ｂおよび誘導面６０の間の上下寸法が後側に向かうにつれ次第に大きくなり、取込流路５９の後端部Ｃでは、後部５４６ｂおよび誘導面６０の間の上下寸法がパチンコ球の直径以上となるように設定されている。これは、誘導面６０が、第２始動入賞口５２ａへ向けて下方傾斜していること、および接触部５４６の後部５４６ｂが、第２始動入賞口５２ａに近接するにつれて下方への突出寸法が次第に小さくなるよう設けられていることによるものである。すなわち、取込流路５９の前端部Ａでは、後部５４６ｂおよび誘導面６０の間をパチンコ球を通過しようとすると後部５４６ｂに接触するようにして強制的にパチンコ球を誘導面６０の傾斜方向に誘導する。一方、取込流路５９の後端部Ｃでは、誘導面６０の上を移動するパチンコ球が後部５４６ｂに接触しないようにしている。
【００４０】
ここで、実施例の第２始動入賞部５２は、取込流路５９の前端部Ａにおける案内面５８ａの傾斜下端部と誘導面６０との高低差(案内面５８ａの傾斜下端部と誘導面６０の傾斜上端部との高低差)Ｌ５よりも、取込流路５９の中間部Ｂにおける案内面５８ａの傾斜下端部と誘導面６０との高低差Ｌ４の方が大きく、当該高低差Ｌ４よりも、取込流路５９の後端部Ｃにおける案内面５８ａの傾斜下端部と誘導面６０との高低差Ｌ３の方が大きくなるように構成されていることから、取込流路５９の前端部Ａをパチンコ球が左右方向に移動する場合よりも、取込流路５９の中間部Ｂをパチンコ球が左右方向に移動する場合のほうが、誘導面６０から案内面５８ａへのパチンコ球の乗上げが生じ難く、取込流路５９の中間部Ｂをパチンコ球が左右方向に移動する場合よりも、取込流路５９の後端部Ｃをパチンコ球が左右方向に移動する場合のほうが、誘導面６０から案内面５８ａへのパチンコ球の乗上げが生じ難いといえる。
【００４１】
これに対し、取込流路５９の前端部Ａに向けた後部５４６ｂの前端部の突出寸法よりも、取込流路５９の中間部Ｂに向けた後部５４６ｂの中間部の突出寸法Ｌ７を小さくし、当該突出寸法Ｌ７よりも、取込流路５９の後端部Ｃに向けた後部５４６ｂの後端部の突出寸法Ｌ６を小さくしている。すなわち、誘導面６０から案内面５８ａへのパチンコ球の乗上げが生じ難い前後位置においては、接触部５４６の後部５４６ｂにおける下方への突出寸法を小さくすることで、取込流路５９の後端側でのパチンコ球の移動を接触部５４６の後部５４６ｂが無暗に妨害しないようにして、当該パチンコ球を速やかに第２始動入賞口５２ａに入球させ得るように構成されている。
【００４２】
但し、後部５４６ｂの突出端部は、前端から後端にかけて、案内面５８ａの傾斜下端部の高さ位置に対してパチンコ球の直径以上に上方に離間しないよう設定されている。これにより、一方の案内面５８ａの傾斜下端部から他方の案内面５８ａへ向けて、誘導面６０を飛び越えるように水平に移動するパチンコ球があったとしても、当該パチンコ球が接触部５４６の後部５４６ｂと接触することとなり、確実に誘導面６０の傾斜方向(すなわち第２始動入賞口５２ａ側)にパチンコ球を誘導し得る。
【００４３】
(複合入賞ユニット７０について)
前記複合入賞ユニット７０は、図２に示すように、前記枠状装飾部材２８の左下方位置(始動入賞ユニット５０の左方位置)に、前記第１の流下領域２２ａを流下するパチンコ球が入球可能な特別入賞口７１ａ、普通入賞口７２ａ,７２ｂおよび第２アウト口７４ａが設けられている。複合入賞ユニット７０には、上方に開口する特別入賞口７１ａを開閉するシャッタ７１ｂが設けられており、該シャッタ７１ｂは、駆動手段としての図示しない特別入賞ソレノイドの駆動に伴って、特別入賞口７１ａを閉鎖する閉鎖位置と開放する開放位置とに変位するようになっている。また、複合入賞ユニット７０には、普通入賞口７２ａ,７２ｂが上方へ向けて常に開口するよう形成された普通入賞部７２が設けられている。すなわち、始動入賞ユニット５０には、パチンコ球の入球し易さ(入球の可否)を変化させることが可能な特別入賞口７１ａを有する特別入賞部(入球部)７１と、パチンコ球が常に入球可能な普通入賞口７２ａ,７２ｂを有する普通入賞部(入球部)７２とが設けられている。また、前記複合入賞ユニット７０には、特別入賞口７１ａに入球したパチンコ球を検出する検出手段としての図示しない特別入賞検出センサが配設されている。特別入賞検出センサは、前記設置部材８０の裏面に配設された前記制御基板に配線接続されており、該特別入賞検出センサから制御基板(具体的には、制御基板に設けられたＣＰＵ)への球検出信号の入力(すなわちパチンコ球の検出)に伴って、制御基板(具体的には、ＣＰＵ)が規定数の賞球の払い出しを決定するようになっている。なお、前記設置部材８０には、普通入賞口７２ａ,７２ｂに入球したパチンコ球を検出する検出手段としての普通入賞検出センサ(図示せず)が配設されている。この普通入賞検出センサもまた前記制御基板に配線接続されており、該普通入賞検出センサから制御基板(具体的には、制御基板に設けられたＣＰＵ)への球検出信号の入力(すなわちパチンコ球の検出)に伴って、制御基板(具体的には、ＣＰＵ)が規定数の賞球の払い出しを決定するようになっている。
【００４４】
前記複合入賞ユニット７０は、図２に示すように、前記遊技盤２０の前面に取着される複合台板７３と、複合台板７３の前面に配設されて特別入賞口７１ａを有するサイド飾り構成体７４と、複合台板７３の後面に配設されて内部に前記特別入賞ソレノイドや前記特別入賞検出センサが収容された複合本体部(図示せず)とを備えている。また、複合台板７３には、複数の普通入賞口７２ａ,７２ｂを有する普通入賞部７２が遊技盤２０の前面より前方に突出するよう設けられている。複合台板７３は、平板状に形成されると共に、固定ネジを前後に挿通可能な固定孔Ｎａが外周縁部の複数箇所に開設されている。そして、複合台板７３の固定孔Ｎａに前側から挿通させた固定ネジを遊技盤２０の前面に螺挿して固定することで、複合入賞ユニット７０が遊技領域２２の左下部において前記案内レール２３に近接するように遊技盤２０の前面に配設される。
【００４５】
(実施例の作用)
次に、前述のように構成された実施例に係るパチンコ機１０の作用につき説明する。
【００４６】
中枠１２の前面側に設けられた操作ハンドル１６を遊技者が回転操作すると、球発射装置１８から発射されたパチンコ球が遊技盤２０に設けた案内レール２３により画成された遊技領域２２内に打ち出されて、流下方向を変更しながら遊技領域２２(第１の流下領域２２ａまたは第２の流下領域２２ｂ)を流下する。そして、遊技領域２２を流下するパチンコ球が第１始動入賞部５１の第１始動入賞口５１ａや第２始動入賞部５２の第２始動入賞口５２ａに入球することで、図柄表示装置１７での図柄組合せ演出が開始され、図柄組合せ演出の結果、図柄表示装置１７に所定の図柄組合せで演出図柄が表示されると、遊技者に有利な特別遊技が生起される。そして、特別遊技が生起されると、遊技盤２０に設けられた特別入賞部７１のシャッタ７１ｂが開放されると共に図柄表示装置１７において特図当り演出が行われる。
【００４７】
第１の流下領域２２ａおよび第２の流下領域２２ｂを流下するパチンコ球がゲート部材２７のゲート口２７ａに入球すると、制御基板において普図当り判定が行われ、該普図当り判定の結果に応じて普図当り遊技(特図当り判定条件が成立し易くなる状態)が生起される。普図当り遊技では、第２始動入賞部５２の開閉部材５２ｂが、第２始動入賞口５２ａを塞ぐ閉鎖位置から、第２始動入賞口５２ａを開放してパチンコ球の入球を許容する開放位置に変位するよう始動入賞ソレノイドＳＬが駆動制御されて、第２始動入賞口５２ａが開放される。第２始動入賞部５２には、開閉部材５２ｂが閉鎖位置から開放位置に変位した状態で、第２始動入賞口５２ａの開口上縁側に設けられた下壁５４３(流路形成部)と、開放位置にある開閉部材５２ｂとの間に、第２始動入賞口５２ａと連通する取込流路５９が形成される。この取込流路５９の左側には第１の流下領域２２ａに開口する取込口５９ａが設けられており、取込流路５９の右側には第２の流下領域２２ｂに開口する取込口５９ａが設けられている。これにより、第１の流下領域２２ａを流下するパチンコ球が左側の取込口５９ａから取込流路５９に流入すると共に、第２の流下領域２２ｂを流下するパチンコ球が右側の取込口５９ａから取込流路５９に流入する。そして、取込流路５９に導かれたパチンコ球は、開閉部材５２ｂにより形成される誘導面６０の傾斜に沿って遊技盤２０側に流下して、第２始動入賞口５２ａに入球する。ここで、左右一方の取込口５９ａから取込流路５９に流入して左右他方の取込口５９ａへ向けて左右方向に移動するパチンコ球は、下壁５４３に設けられた接触部５４６に接触して誘導面６０の傾斜方向に向かうようになっており、パチンコ球が取込流路５９を左右方向に通過して左右他方の取込口５９ａから遊技領域２２に排出されることが防止されている。
【００４８】
ここで、実施例のパチンコ機１０は、遊技領域２２が形成された遊技盤２０と、遊技領域２２を流下するパチンコ球が入球可能な第２始動入賞口５２ａを有する第２始動入賞部５２と、この第２始動入賞部５２に設けられて第２始動入賞口５２ａに対して変位可能な可変手段としての開閉部材５２ｂとを備えており、開閉部材５２ｂが閉鎖位置から開放位置に変位した場合に、閉鎖位置と較べて第２始動入賞口５２ａにパチンコ球が入球し易くなるよう構成されている。また、実施例のパチンコ機１０は、開放位置にある開閉部材５２ｂが遊技盤２０の前面より前側に位置して、遊技領域２２を流下するパチンコ球を受けて第２始動入賞口５２ａに誘導し得るよう構成されている。更に、実施例のパチンコ機１０は、第２始動入賞口５２ａの開口上縁側に設けられた下壁５４３と、開放位置にある開閉部材５２ｂとの間に、第２始動入賞口５２ａに連通する取込流路５９が形成され、当該取込流路５９において第２始動入賞口５２ａを挟む左右両側で取込口５９ａが遊技領域２２(第１の流下領域２２ａおよび第２の流下領域２２ｂ)に開口するよう構成されている。そして、パチンコ機１０には、取込流路５９を左右に移動するパチンコ球と接触可能な接触部５４６が下壁５４３に設けられて、取込口５９ａを介して取込流路５９に流入したパチンコ球が他の取込口５９ａから排出されるのを防止し得るよう構成されている。すなわち、実施例のパチンコ機１０では、開放位置にある開閉部材５２ｂと下壁５４３との間に取込流路５９を形成すると共に該取込流路５９を左右に移動するパチンコ球と接触する接触部５４６を下壁５４３に設けることで、取込口５９ａを介して取込流路５９に流入したパチンコ球が他の取込口５９ａから排出されるのを防止して、該パチンコ球を第２始動入賞口５２ａに入球させることができる。また、実施例のパチンコ機１０では、第２始動入賞口５２ａおよび開閉部材５２ｂを有する第２始動入賞部５２と、接触部５４６が設けられた下壁５４３とを、始動入賞ユニット５０に備えて、該始動入賞ユニット５０を遊技盤２０に配設するよう構成することで、第２始動入賞部５２および下壁５４３を遊技盤２０に容易に設けることができる。
【００４９】
また、実施例のパチンコ機１０は、下壁５４３から下方に突出して第２始動入賞口５２ａの前側で前後に延在する接触部５４６の後部５４６ｂが、第２始動入賞口５２ａに近接するにつれて下方への突出寸法が次第に小さくなるよう設けられている。すなわち、実施例のパチンコ機１０では、第２始動入賞口５２ａから前方に離間する側では、左右に移動するパチンコ球に接触部５４６を確実に接触させて当該パチンコ球が取込口５９ａから排出されるのを防止し得ると共に、第２始動入賞口５２ａに近接する側では接触部５４６がパチンコ球と接触しないようにして当該パチンコ球を速やかに第２始動入賞口５２ａに入球させることができる。
【００５０】
また、実施例のパチンコ機１０では、開閉部材５２ｂが、第２始動入賞口５２ａの開口下縁に沿う軸部６１を中心に上端側が前後に揺動して、第２始動入賞口５２ａを塞ぐ閉鎖位置と、第２始動入賞口５２ａを開放して該第２始動入賞口５２ａの下縁部に向けて下方傾斜する誘導面６０を形成する開放位置とに変位し得るよう構成されており、接触部５４６が、パチンコ球の直径以下の間隔を介して開閉部材５２ｂの誘導面６０の傾斜上端部と対向するよう下壁５４３に設けられている。すなわち、実施例のパチンコ機１０は、第２始動入賞口５２ａへ向けて下方傾斜する誘導面６０を形成すると共に、接触部５４６をパチンコ球の直径以下の間隔を介して誘導面６０の傾斜上端部と対向するよう下壁５４３の下端部に設けることで、取込流路５９を移動するパチンコ球に接触部５４６を接触させて誘導面６０の傾斜方向に向かわせることができ、該パチンコ球を速やかに第２始動入賞口５２ａに入球させることができる。
【００５１】
(別例)
次に、上記実施例に係るパチンコ機１０の別例に係る構成について、図６を参照して説明する。以下に説明する別例では、前述した実施例に係るパチンコ機１０における第２始動入賞部５２を備えた始動入賞ユニット５０に代えて、可変入賞部１５２が始動台板５３に設けられた入賞ユニット１５０を採用しており、他の基本的な構成は同じとなっている。この可変入賞部１５２は、前述した実施例における第２始動入賞部５２として機能するものでもよいし、前述した実施例における特別入賞部７１として機能するものでもよい。以下の説明では、別例における入賞ユニット１５０の可変入賞部１５２に関する構成について説明し、可変入賞部１５２に関する電気的な作用等の説明を省略すると共に、上記実施例で説明したパチンコ機１０と同一の構成に関しては、同一の符号を付して詳細な説明は省略する。なお、受け部材５４は、前述した実施例とは下壁５４３の形状が異なるものを示すが、同一の符号を付すと共に詳細な説明を省略する。
【００５２】
別例の入賞ユニット１５０には、始動台板５３の前面上部に第１始動入賞部５１が設けられると共に、始動台板５３の前面下部(第１始動入賞部５１における受け部材５４の下側)に、パチンコ球が入球可能な可変入賞部１５２が設けられている。可変入賞部１５２は、パチンコ球が通過可能な下側連通口(入球口)１５３ａが始動台板５３を前後に貫通するよう形成され、この下側連通口１５３ａの左右両側において左右一対の羽根部材１５２ｂが左右に揺動変位可能に設けられると共に、下側連通口１５３ａと左右一対の羽根部材１５２ｂとを前側から覆うように下側受け部材１５４が始動台板５３の前面に取り付けられて構成されている。羽根部材１５２ｂは、下側連通口１５３ａの左右両側において前後に延在する軸部１６１を中心として上端側(自由端側)が左右に揺動するよう構成されており、各羽根部材１５２ｂが互いに近接する閉鎖位置と、各羽根部材１５２ｂが互いに離間して各羽根部材１５２ｂと受け部材５４との間に取込口１５２ａを画成して、該取込口１５２ａから両羽根部材１５２ｂの間へ向けたパチンコ球の通過を許容する開放位置とに変位し得るようになっている。すなわち、羽根部材１５２ｂは、取込口１５２ａを塞ぐ閉鎖位置および該取込口１５２ａを開放する開放位置に変位し得るよう構成されている。なお、取込口１５２ａは、前述した実施例における第２始動入賞口５２ａまたは特別入賞口７１ａと同様の入球口として設けられている。下側受け部材１５４は、上方および後方に開口する箱状の部材であって、上方開口の内側で左右の羽根部材１５２ｂが揺動するよう構成されている。この下側受け部材１５４には、左右の羽根部材１５２ｂの下端部の間に、下側連通口１５３ａの前方から下側連通口１５３ａへ向けて下方傾斜する誘導面１６０が固定的に設けられている。そして、羽根部材１５２ｂが開放位置にある状態では、遊技領域２２を流下するパチンコ球を下側連通口１５３ａの前側に案内する案内面１５８が羽根部材１５２ｂにより形成されるようになっている。すなわち、可変入賞部１５２においては、羽根部材１５２ｂが開放位置にある状態で、当該羽根部材１５２ｂにより形成される左右の案内面１５８と、下側受け部材１５４により固定的に形成される誘導面１６０とが左右に連続して、受け部材５４の下壁５４３との間に左右両側に取込口１５２ａが開口する取込流路１５９を画成するよう構成されている。また、下壁５４３には、下方に突出する接触部５４６がパチンコ球の直径以下の間隔で誘導面１６０と対向するよう設けられ、羽根部材１５２ｂの案内面１５８に案内されて取込口１５２ａを通じて下側連通口１５３ａの前側に流入したパチンコ球と接触して、接触したパチンコ球を誘導面１６０の傾斜方向に向かわせ得るようになっている。
【００５３】
(別例の作用)
このように、別例に係るパチンコ機１０は、遊技領域２２が形成された遊技盤２０と、遊技領域２２を流下するパチンコ球が入球可能な下側連通口(入球口)１５３ａを有する可変入賞部(入球部)１５２と、この可変入賞部１５２に設けられて下側連通口１５３ａに対して変位可能な可変手段としての左右一対の羽根部材１５２ｂとを備えている。また、別例のパチンコ機１０は、可変入賞部１５２が、下側連通口１５３ａの前方から該下側連通口１５３ａの下縁部に向けて下方傾斜する誘導面１６０を備えており、羽根部材１５２ｂが、誘導面１６０の左右両側で前後に延在する軸部１６１を中心として上端側が左右に揺動すると共に、当該一対の羽根部材１５２ｂの各自由端が下壁５４３に近接する閉鎖位置と、当該一対の羽根部材１５２ｂの各自由端が下壁５４３から離間して誘導面１６０に向けて下方傾斜する開放位置とに変位し得るよう構成されている。そして、接触部５４６が、パチンコ球の直径以下の間隔を介して誘導面１６０の傾斜上端部と対向するよう下壁５４３に設けられている。すなわち、別例のパチンコ機１０では、下側連通口１５３ａへ向けて下方傾斜する誘導面１６０を形成すると共に、接触部５４６をパチンコ球の直径以下の間隔を介して誘導面１６０の傾斜上端部と対向するよう下壁５４３の下端部に設けることで、左右一対の羽根部材１５２ｂの案内面１５８と、誘導面１６０と、下壁５４３とで画成される取込流路１５９を左右に移動するパチンコ球に接触部５４６を接触させて誘導面１６０の傾斜方向に向かわせることができ、該パチンコ球を速やかに下側連通口１５３ａに入球させることができる。
【００５４】
(変更例)
なお、遊技機の構成としては、前述した実施例に示したものに限らず、以下に示す如く種々の構成を採用可能である。
【００５５】
(１)  実施例では、入球口としての第２始動入賞口を開閉する可変手段と流路形成部(受け部材の下壁)との間に取込流路を画成し、取込流路を移動する遊技球と接触可能な接触部を備えるように構成したが、入球口は、始動入賞口に限られるものではなく、例えば、入球口としての特別入賞口を備え、特別入賞口を開閉する可変手段と流路形成部(受け部材の下壁)との間に取込流路を画成して、取込流路を移動する遊技球と接触可能な接触部を備えるように構成してもよい。
すなわち、実施例の特別入賞口を有する入賞ユニット(入賞装置、入賞手段)は、上方に開口する特別入賞口と、この特別入賞口に対して変位可能なシャッタとを特別入賞部に備えるよう構成されていたが、入賞ユニットを以下のように構成してもよい。
・  前方に開口する特別入賞口と、特別入賞口に対して変位可能なシャッタ(可変手段)とを特別入賞部に設けると共に、シャッタが第１位置から第２位置に変位した場合に、第１位置と較べて特別入賞口に遊技球が入球し易くなるよう構成する。また、シャッタが、第２位置にある状態で遊技盤の前面より前側に位置すると共に、遊技領域を流下する遊技球を受けて特別入賞口に誘導し得るよう構成する。なお、シャッタは、実施例の第２始動入賞口を開閉する開閉部材のように、特別入賞口の開口下縁部に沿う軸を中心として上縁側が前後に揺動するものでもよい。更に、特別入賞口の開口上縁側に流路形成部を設け、該流路形成部と第２位置にあるシャッタとの間に、特別入賞口に連通する取込流路が形成されるようにして、取込流路において特別入賞口を挟む左右両側で取込口が遊技領域に開口するよう構成する。そして、取込流路を移動する遊技球と接触可能な接触部を流路形成部に設けて、取込口を介して取込流路に流入した遊技球が他の取込口から排出されるのを防止し得るように構成する。
(２)  実施例では、第２位置(開放位置)にある可変手段(開閉部材)と、入球口の１つとしての第１始動入賞口を形成する受け部材との間に取込流路を形成したが、受け部材は、入球口を形成するものでなくてもよい。
(３)  実施例では、入球口の１つとしての第２始動入賞口と、第２始動入賞口を開閉する可変手段としての開閉部材と、開閉部材との間に取込流路を形成する流路形成部とを１つの入賞ユニット(入賞装置、入賞手段)に設けたが、入球口および可変手段と、流路形成部とを、夫々別の部材に設けてもよい。例えば、図柄表示装置の外側を囲む枠状装飾部材の下部に流路形成部を設けると共に、枠状装飾部材の下側に隣接配置した入賞ユニットに入球口および可変手段を設けて、第２位置(開放位置)にある可変手段と、流路形成部材との間に取込流路を形成するよう構成することができる。
(４)  実施例では、第２位置(開放位置)にある可変手段(開閉部材)が左右方向の略全体に亘って流路形成部(受け部材の下壁)に対向して取込流路を形成するよう構成したが、第２位置にある可変手段における左右方向の一部のみが流路形成部に対向して取込流路を形成するよう構成してもよい。
(５)  実施例では、入球口(第２始動入賞口)を開閉すると共に流路形成部(受け部材の下壁)との間に取込流路を画成する可変手段として、揺動により入球口を開閉する開閉部材を備えるように構成したが、可変手段は、揺動により入球口を開閉するものに限られるものではなく、例えば、前後にスライド移動して閉鎖位置および開放位置に変位する可変手段を採用してもよい。
(６)  実施例では、開閉部材が形成する誘導面に対して接触部が遊技球の直径以下の間隔で離間するよう構成したが、接触部を誘導面に対して遊技球の直径以上に離間させて設けてもよい。例えば、左右寸法の比較的小さい(例えば、遊技球の直径の３倍以下)誘導面の左右両側に一対の案内面を設けた構成では、誘導面と案内面とが高さ位置において近接しているかに拘らず、遊技球が一方の案内面から誘導面を飛び越えて他方の案内面に移動して、入球口に入球することなく遊技領域に落下し得る。これに対し、接触部の突出端部(下端)の高さ位置と、案内面の傾斜下端部の高さ位置との差を、遊技球の直径以下とする。この場合に、接触部は、誘導面に対して遊技球の直径以上に離間させる。このように構成すれば、接触部を誘導面に対して遊技球の直径以上に離間させたとしても、遊技球が一方の案内面から他方の案内面に移動するのを防止できる。
(７)  実施例では、取込流路の左右両側に取込口を１つずつ形成したが、左右一方または両方に複数の取込口を設けるようにしてもよい。
(８)  実施例では、接触部を、流路形成部(受け部材の下壁)から下方に突出するよう設けたが、流路形成部から下方に突出する接触部を設けず、流路形成部材を誘導面側に近接させて接触部として機能させてもよい。
(９)  実施例では、接触部を、流路形成部(受け部材の下壁)から下方に突出すると共に入球口の前側で前後に延在するよう設けることで、接触部の左右寸法を小さく形成したが、入球口の左右の開口幅が充分に大きく、接触部の左右両側から入球口へ向けて遊技球が入球し得るのであれば、例えば下方に突出する突起状または筒状等といった形状を接触部に採用してもよい。
(１０)  実施例では、誘導面の傾斜上端部と、その真上に位置する接触部の後部の前端部との間の上下寸法を遊技球の直径以下とする一方、後部および誘導面の間の上下寸法を後側に向かうにつれ次第に大きくして、取込流路の後端部では、後部および誘導面の間の上下寸法がパチンコ球の直径以上となるように設定した。これに対し、後部および誘導面が前後に亘って一定の間隔となるよう設けてもよいし、後部および誘導面の間の上下寸法が後側に向かうにつれ次第に小さくなるよう設けてもよい。
【００５６】
本願には、例えば次のような技術的思想が含まれている。
【００５７】
(Ａ)  遊技領域(22)が形成された遊技盤(20)に、前記遊技領域(22)を流下する遊技球が入球可能な入球口(52a,153a)を有する入球部(52,152)と、前記入球部(52,152)に設けられて前記入球口(52a,153a)に対して変位可能な可変手段(52b,152b)とを備えた入球手段(50)が配設されて、前記可変手段(52b,152b)が第１位置から第２位置に変位した場合に、前記第１位置と較べて前記入球口(52a,153a)に遊技球が入球し易くなるよう構成された遊技機において、
前記可変手段(52b,152b)は、前記第２位置にある状態で前記遊技盤(20)の前面より前側に位置すると共に、前記遊技領域(22)を流下する遊技球を受けて前記入球口(52a,153a)に誘導し得るよう構成され、
前記入球手段(50)には、前記入球口(52a,153a)の開口上縁側に流路形成部(543)が設けられて、当該流路形成部(543)と前記第２位置にある前記可変手段(52b,152b)との間に、前記入球口(52a,153a)に連通する取込流路(59,159)が形成されると共に、当該取込流路(59,159)において前記入球口(52a,153a)を挟む左右両側で取込口(59a,152a)が前記遊技領域(22)に開口するよう構成され、
前記取込流路(59,159)を移動する遊技球と接触可能な接触部(546)が前記流路形成部(543)に設けられて、前記取込口(59a,152a)を介して前記取込流路(59,159)に流入した遊技球が他の取込口(59a,152a)から排出されるのを防止し得るよう構成したことを要旨とする。
上記(Ａ)に係る構成によれば、第２位置にある可変手段と流路形成部との間に取込流路を形成すると共に該取込流路を移動する遊技球と接触する接触部を流路形成部に設けることで、取込口を介して取込通路に流入した遊技球が他の取込口から排出されるのを防止して、該遊技球を入球口に入球させることができる。また、入球口および可変手段を有する入球部と、接触部が設けられた流路形成部とを入球手段に備えて、該入球手段を遊技盤に配設するよう構成することで、入球部および流路形成部を遊技盤に容易に設けることができる。
【符号の説明】
【００５８】
２０  遊技盤
２２  遊技領域
５２  第２始動入賞部(入球部)
５２ａ  第２始動入賞口(入球口)
５２ｂ  開閉部材(可変手段)
５９  取込流路
５９ａ  取込口
６０  誘導面
６１  軸部(軸)
１５２  可変入賞部(入球部)
１５２ａ  取込口
１５２ｂ  羽根部材(可変手段)
１５３ａ  下側連通口(入球口)
１５９  取込流路
１６０  誘導面
１６１  軸部(軸)
５４３  下壁(流路形成部)
５４６  接触部
【図１】
2017000630.tif 000003
【図２】
2017000630.tif 000004
【図３】
2017000630.tif 000005
【図４】
2017000630.tif 000006
【図５】
2017000630.tif 000007
【図６】
2017000630.tif 000008